(57)【要約】【課題】接地対象部材で発生する静電気を緩やかに除電して制御基板にノイズが発生するのを防止することができる遊技機の接地装置および遊技機を提供する。【解決手段】抵抗１１１ａ〜１１１ｄが取付けられたプレート１１０と、プレート１１０に設けられ、抵抗１１１ａ〜１１１ｄに接続されたコネクタ１１２とを備えた接地装置を設け、接地対象部材である主基板１００、賞球制御基板１０１、ボールガイド５および賞球払い出し通路をそれぞれアース線１０４、１０６、６、１０７および抵抗１１１ａ〜１１１ｄを介して接地する。【選択図】　　　図４
2004033408.tif 000002
【特許請求の範囲】
【請求項１】
遊技機に設けられた接地対象となる接地対象部材から延在するアース線が接続された接地装置であって、
抵抗を有し、前記抵抗を介して前記アース線を接地することを特徴とする遊技機の接地装置。
【請求項２】
抵抗値の異なる複数の抵抗を有し、接地対象部材の帯電量に応じた抵抗値の抵抗に、前記アース線を接続可能なことを特徴とする請求項１記載の遊技機の接地装置。
【請求項３】
前記抵抗が取付けられた基板と、前記基板に設けられ、前記抵抗に接続されたコネクタとを有し、前記アース線が前記コネクタに接続されることを特徴とする請求項１または請求項２記載の遊技機の接地装置。
【請求項４】
接地対象となる接地対象部材から延在するアース線が接続された接地装置を備えた遊技機であって、
前記接地装置は、抵抗を有し、前記抵抗を介して前記アース線を接地することを特徴とする遊技機。
【発明の詳細な説明】
【０００１】
【発明の属する技術分野】
本発明は、遊技機の接地装置および遊技機に関し、詳しくは、制御基板等の接地対象部材を接地する遊技機の接地装置および遊技機に関する。
【０００２】
【従来の技術】
パチンコ遊技機に代表される遊技機においては、パチンコ遊技機を制御する制御基板が静電気の影響を受けて誤作動が発生するのを防止するために、制御基板に設けられたシールド用の金属プレートにアース線を取付け、このアース線を介して制御基板を接地して制御基板に静電気の影響を与えないようにしている。
【０００３】
また、遊技球を遊技盤の遊技領域に供給するために、予め、遊技球を上皿にまとめて投入しておくようにしているが、この上皿に遊技球を大量に投入しておくと、汚れ等により表面が絶縁状態となった遊技球同士が摩擦したり、上皿と遊技球が摩擦したり等して遊技球に静電気が発生することがある。
【０００４】
このため、アース線が取付けられたボールガイドを上皿に設け、このボールガイド上に遊技球を整列させることにより、遊技球に発生した静電気をボールガイドを介して接地することにより、遊技球に帯電した静電気が遊技球を検知する各種検知センサ等を介して制御基板に流れるのを防止している。
【０００５】
また、遊技機には、その他にも高圧電源や種々の電子機器が設けられている上に、遊技球が接触する通路（例えば、賞球払い出し通路等）が設けられているため、これらの電子機器や通路にもシールド用の金属プレートを設け、この金属プレートをアース線を介して接地することにより、高圧電源や電子機器が静電気の影響を受けないように工夫されている。
【０００６】
【発明が解決しようとする課題】
しかしながら、このような従来のパチンコ遊技機にあっては、接地対象となる金属プレート等にアース線を取付けて接地するようにしているだけであるため、急激な放電が起こり易くなってしまい、制御基板にノイズが発生してしまうことがあった。
【０００７】
本発明は、接地対象部材で発生する静電気を緩やかに除電して制御基板にノイズが発生するのを防止することができる遊技機の接地装置および遊技機を提供することを目的としている。
【０００８】
【課題を解決するための手段】
本発明の遊技機の接地装置は、上記課題を解決するために、遊技機に設けられた接地対象となる接地対象部材から延在するアース線が接続された接地装置であって、抵抗を有し、前記抵抗を介して前記アース線を接地することを特徴としている。
【０００９】
このような構成により、接地対象部材から延在するアース線を抵抗を介して接地することができるため、接地対象部材で発生する静電気を緩やかに除電して制御基板にノイズが発生するのを防止することができる。
【００１０】
また、本発明の遊技機の接地装置は、上記課題を解決するために、抵抗値の異なる複数の抵抗を有し、接地対象部材の帯電量に応じた抵抗値の抵抗に、前記アース線を接続可能なことを特徴としている。
【００１１】
このような構成により、接地対象部材の帯電量に応じて静電気を緩やかに除電して制御基板にノイズが発生するのをより一層防止することができる。
【００１２】
例えば、帯電量の小さい接地対象部材（例えば、賞球払い出し通路等のように多数の帯電した遊技球がバラけて接触する帯電量が小さいものを対象とした接地対象部材）は抵抗値の高い（例えば、１０００ｋΩ）の抵抗に接続し、帯電量の大きい接地対象部材（例えば、上皿のボールガイドのように多数の帯電した遊技球がまとまって接触する帯電量の大きいものを対象とした接地対象部材）は抵抗値の低い（例えば１０ｋΩ）抵抗に接続することにより、接地対象部材の帯電量に応じて静電気を緩やかに除電することができる。
【００１３】
また、本発明の遊技機の接地装置は、上記課題を解決するために、前記抵抗が取付けられた基板と、前記基板に設けられ、前記抵抗に接続されたコネクタとを有し、前記アース線が前記コネクタに接続されることを特徴としている。
【００１４】
このような構成により、接地対象部材のアース線を接地装置に簡単に取付けることができる。
【００１５】
また、本発明の遊技機は、上記課題を解決するために、接地対象となる接地対象部材から延在するアース線が接続された接地装置を備えた遊技機であって、前記接地装置は、抵抗を有し、前記抵抗を介して前記アース線を接地することを特徴としている。
【００１６】
このような構成により、接地対象部材から延在するアース線を抵抗を介して接地することができるため、接地対象部材で発生する静電気を緩やかに除電して制御基板にノイズが発生するのを防止することができる。
【００１７】
【発明の実施の形態】
以下、本発明の好ましい実施形態を図面に基づいて説明する。
図１〜図５は本発明に係る遊技機および接地装置の一実施形態を示す図であり、本発明をパチンコ遊技機に適用した場合を示している。
【００１８】
まず、このパチンコ遊技機の全体の概略構成について説明すると、図１、図２において、パチンコ遊技機１０の前面には遊技盤１１が着脱可能に取り付けられており、この遊技盤１１はパチンコ遊技機１０の前面側で透明な窓板１に覆われた略円形の遊技領域１１ａを形成する。
【００１９】
遊技盤１１の下部には遊技球を収容する上皿２、下皿３および遊技者によって回動操作されるハンドル４が設けられている。
【００２０】
上皿２に収納された遊技球は遊技盤１１の背面に１球毎に供給されるようになっており、ハンドル４の操作量に応じて図示しない遊技球発射装置が作動することにより、遊技盤１１の背面に供給された遊技球は遊技球発射装置によって遊技領域１１ａ内に順次発射されるようになっている。
【００２１】
また、遊技盤１１にはその表面の遊技領域１１ａを取り囲むとともに遊技球の発射通路１２を形成する内外のガイドレール１２ａ、１２ｂが設けられており、遊技領域１１ａの略中央部上側寄りには図柄表示装置１３が装着されている。
【００２２】
また、遊技盤１１の遊技領域１１ａのうち図柄表示装置１３の周囲には、それぞれ入賞口を構成する始動入賞口１４、変動始動入賞口１５、一般入賞口１６Ａ、１６Ｂ、１７Ａ、１７Ｂ、１８Ａ、１８Ｂ、大入賞口１９と、通過ゲート２０Ａ、２０Ｂと、左右の風車２１Ａ、２１Ｂと、左右の装飾用ランプ２２Ａ、２２Ｂとがそれぞれ設けられている。
【００２３】
また、発射通路１２の上端部は遊技盤１１の遊技領域１１ａの天側左方に位置しており、遊技領域１１ａ内に発射された遊技球は遊技領域１１ａに配された多数の遊技くぎ（図示略）に弾かれながら、例えば図柄表示装置１３の上方から左右一方側に流下する。
【００２４】
そして、通過ゲート２０Ａ、２０Ｂを通過するか、そのまま流下するか、あるいは、図柄表示装置１３の側方で風車２１Ａまたは風車２１Ｂに当接して流下し、始動入賞口１４、変動始動入賞口１５、袖入賞口１６Ａ、１６Ｂ、１７Ａ、１７Ｂ、１８Ａ、１８Ｂの何れかに入るか、あるいは、それらから外れて遊技領域１１ａの最下端に設けられたアウト口２３に入る。
【００２５】
また、変動始動入賞口１５は可動片１５ａ、１５ｂを左右方向に開閉動作させるチューリップ式のものから構成されており、その入口幅を拡大縮小することができるようになっている。
【００２６】
また、通過ゲート２０Ａ、２０Ｂには図示しない通過球センサが設けられており、通下球センサは通過ゲート２０Ａまたは２０Ｂを通過する遊技球を検知したとき、図３に示すようにパチンコ遊技機１０の背面に設けられた主基板（制御基板、接地対象部材）１００に信号を出力するようになっている。
【００２７】
主基板１００はこの信号に基づいて、例えば、図柄表示装置１３の上部に設けられた公知の普通図柄表示用ＬＥＤに２色交互点灯の点滅による普通図柄変動表示を実行させるとともに、所定色のＬＥＤでその変動が停止したときに変動始動入賞口１５の可動片１５ａ、１５ｂを作動して入口幅を拡大するようになっている。
【００２８】
また、始動入賞口１４、１５、一般入賞口１６Ａ、１６Ｂ、１７Ａ、１７Ｂ、１８Ａ、１８Ｂにはそれぞれ遊技球を検知する遊技球検知センサが設けられており、この遊技球検知センサは始動入賞口１４、１５、一般入賞口１６Ａ、１６Ｂ、１７Ａ、１７Ｂ、１８Ａ、１８Ｂに遊技球が入賞したときに遊技球の検知情報を主基板１００に出力するようになっている。
【００２９】
主基板１００はこの検知情報に基づいて賞球制御基板（制御基板、接地対象部材）１０１に賞球払い出し指令信号を出力するようになっており、賞球制御基板１０１はこの信号に基づいて入賞した１個の遊技球に対して所定数の賞球（景品球）を払い出すようになっている。また、この賞球制御基板１０１は主基板１００から出力された球発射指令信号に応じて遊技球発射装置により遊技球を発射するようになっている。
【００３０】
また、図柄表示装置１３は図柄変動部材としての表示画面を備えており、この表示画面２４は画像信号入力に基づいて任意の画像を表示するもので、例えば、液晶ディスプレイ、ＣＲＴ（陰極線管）またはプラズマディスプレイ等によって構成されている。
【００３１】
また、表示画面２４は、遊技球の始動入賞口１４、１５への入賞時に、予め定められた数字やマークなどの特別図柄をその画面上で変動表示するとともに、それら特別図柄を所定の停止態様で停止させるようになっている。
【００３２】
大入賞口１９は、この図柄表示装置１３での特別図柄の変動停止態様が特定の当り図柄の組合せを構成しているか否かに応じて作動し、アタッカーと呼ばれる開閉扉１９ａを前後方向に開閉しながら、最大開口幅の入賞口を形成するものである。
【００３３】
具体的には、図柄表示装置１３が特別図柄（左図柄Ｎ１、中図柄Ｎ２、右図柄Ｎ３）の変動を開始した後、左図柄Ｎ１、右図柄Ｎ３、中図柄Ｎ２の順に異なるタイミングで特別図柄Ｎ１〜Ｎ３を停止させ、その停止図柄の組合せが所定の賞態様（例えば、７、７、７のような同一図柄が揃う組合せ）となったとき、通常遊技と比較して遊技者に有利な特別遊技の状態、所謂、大当り遊技状態に移行し、大入賞口１９の開閉扉１９ａはその開放動作時間が所定時間に達するか、所定球数の入賞球が発生するまでを１回の周期として開放（開閉）動作され、その扉開放状態で遊技球を大入賞口１７内に導入するようになっている。
【００３４】
また、表示画面２４は、所定の条件で、いわゆるリーチ状態が発生する可能性が通常より高いことを予兆したり、大当たり信頼度（大当たりとなる確率）が非常に高いリーチ状態となることを予告したりする表示、所謂、演出（本実施形態では、表示画面２４の変動表示内容という）を行うようになっている。
【００３５】
ここで、リーチ状態とは、所定の賞態様が構成される直前の特別図柄の変動状態、最終停止図柄である中図柄Ｎ２を残して、第１停止図柄である左図柄Ｎ１と第２停止図柄である右図柄Ｎ３とが同一の数字または絵柄となって揃った状態をいう。また、当たり信頼度が非常に高いリーチ状態とは、前記所定の賞態様が構成される可能性が通常より数倍高いことを意味し、例えば信頼度１００％のプレミアムリーチがこれに相当する。なお、これらの表示画面２４の表示制御は主制御回路や表示画面制御回路等の主基板１００によって行なわれるが、本実施形態では、詳細の説明は略す。
【００３６】
次に、本実施形態の接地構造について説明する。
図４に示すように、上皿２には板状のボールガイド（接地対象部材）５が設けられており、このボールガイド５上には遊技盤１１の背面に供給される遊技球Ｂが整列するようになっている。また、ボールガイド５にはアース線６が設けられており、このアース線６は遊技盤１１の背面側に延在している。
【００３７】
また、図３に示すように、遊技盤１１の背面に設けられた主基板１００はシールド用の金属プレート１０３によって覆われており、この金属プレート１０３にはアース線１０４が取付けられている。
【００３８】
また、賞球制御基板１０２にはシールド用の金属プレート１０５が設けられており、この金属プレート１０５にはアース線１０６が取付けられている。
【００３９】
また、本実施形態では、遊技盤１１の背面に設けられた賞球払い出し通路や、始動入賞口１４、変動始動入賞口１５、一般入賞口１６Ａ、１６Ｂ、１７Ａ、１７Ｂ、１８Ａ、１８Ｂ、大入賞口１９等に連通する遊技盤１１裏面の遊技球案内通路にも金属プレート（接地対象部材）が設けられており、この金属プレートにもアース線が取付けられている。
【００４０】
また、遊技盤１１の背面の下方側には図５に示すプレート（基板）１１０が設けられており、この基板１１０には抵抗１１１ａ〜１１１ｄが設けられている。また、この抵抗１１１ａ〜１１１ｄはアース線１０８に接続されており、このアース線１０８はパチンコ遊技機１０の金属フレーム１０ａに接地されている。
【００４１】
またプレート１１０にはコネクタ１１２が設けられており、このコネクタ１１２は抵抗１１１ａ〜１１１ｄに接続されている。本実施形態では、プレート１１０、抵抗１１１ａ〜１１１ｄ、コネクタ１１２およびアース線１０８が接地装置を構成している。
【００４２】
また、抵抗１１１ａ〜１１１ｄは接地対象部材の帯電量に応じた抵抗値に設定されており、抵抗１１１ａ、１１１ｂは、例えば、低い抵抗値（例えば、１０ｋΩ）に設定され、抵抗１１１ｃ、１１１ｄは高い抵抗（例えば、１０００ｋΩ）に設定されている。
【００４３】
本実施形態では、説明の便宜上、４つの抵抗に４つの接地対象部材が接続する態様を説明するが、実際には、接地装置には接地対象物の帯電量に応じた抵抗値を有する多数の抵抗が設けられている。
【００４４】
本実施形態では、帯電量の大きい主基板１００のアース線１０４がコネクタ１１２を介して抵抗１１１ａに接続されているとともに、帯電量の大きいボールガイド５のアース線６はコネクタ１１２を介して抵抗１１１ｂに接続されている。
【００４５】
また、帯電量の小さい賞球制御基板１０１のアース線１０６がコネクタ１１２を介して抵抗１１１ｃに接続されているとともに、帯電量の小さい賞球払い出し通路に設けられた金属プレートのアース線１０７がコネクタ１１２を介して抵抗１１１ｄに接続されている。
【００４６】
本実施形態では、抵抗１１１ａ〜１１１ｄが取付けられたプレート１１０と、プレート１１０に設けられ、抵抗１１１ａ〜１１１ｄに接続されたコネクタ１１２とを備えた接地装置を設け、接地対象部材である主基板１００、賞球制御基板１０１、ボールガイド５および賞球払い出し通路をそれぞれアース線１０４、１０６、６、１０７および抵抗１１１ａ〜１１１ｄを介して接地したため、接地対象部材で発生する静電気を緩やかに除電することができ、主基板１００や賞球払い出し基板１０１にノイズが発生するのを防止することができる。
【００４７】
また、本実施形態では、抵抗１１１ａ〜１１１ｄの抵抗値を接地対象部材の帯電量に応じた抵抗値に設定したため、すなわち、帯電量の小さい主基板１００や賞球払い出し通路のように多数の帯電した遊技球がバラけて接触する帯電量が小さいものは抵抗値の高い抵抗１１１ｃ、１１１ｄに接続し、ボールガイド５のように多数の帯電した遊技球がまとまって接触する帯電量の大きいものは抵抗値の低い抵抗１１１ａ、１１１ｂに接続することにより、接地対象部材の帯電量に応じて静電気を緩やかに除電することができる。
【００４８】
また、接地対象部材のアース線６、１０４、１０６、１０７をコネクタ１１２に接続するようにしたため、アース線６、１０４、１０６、１０７を接地装置に簡単に取付けることができる。
【００４９】
【発明の効果】
本発明によれば、接地対象部材から延在するアース線を抵抗を介して接地することができるため、接地対象部材で発生する静電気を緩やかに除電して制御基板にノイズが発生するのを防止することができる遊技機の接地装置および遊技機を提供することができる。
【図面の簡単な説明】
【図１】本発明に係る接地装置を備えた遊技機の一実施形態を示す図であり、その接地装置を備えたパチンコ遊技機の正面図である。
【図２】一実施形態の遊技盤の正面図である。
【図３】一実施形態のパチンコ遊技機の背面図である。
【図４】一実施形態の上皿を示す図であり、（ａ）は上皿の上面図、（ｂ）はボールガイドを示す図である。
【図５】一実施形態の接地装置を示す図である。
【符号の説明】
５　　ボールガイド（接地対象部材）
６、１０４、１０６、１０７　　アース線
１０　　パチンコ遊技機（遊技機）
１１　　遊技盤
１００　　主基板（制御基板、接地対象部材）
１０１　　賞球制御基板（制御基板、接地対象部材）
１０３、１０５　　金属プレート（接地対象部材）
１１０　　プレート（基板）
１１１ａ〜１１１ｄ　　抵抗
１１２　　コネクタ
【図１】
2004033408.tif 000003
【図２】
2004033408.tif 000004
【図３】
2004033408.tif 000005
【図４】
2004033408.tif 000006
【図５】
2004033408.tif 000007